(57)【要約】【課題】容易に設置できると共に、精度高く位置決めして設置できる鋼管基礎杭の柱固定用部材設置方法とすることである。【解決手段】柱固定用部材１に吊込治具１０を着脱自在に取付け、この吊込治具１０に位置決め用横材５０を位置決めして取付ける。  鋼管基礎杭２０の上端部に複数の取付治具３０を、その上端部を挟持して取付け、この取付治具３０にレベル架台４０を高さ調整して所定の高さで水平姿勢に取付ける。この後に前記吊込治具１０を吊り上げて柱固定用部材１を鋼管基礎杭２０内に挿入し、その位置決め用横材５０をレベル架台４０に載置し、かつ位置決めして位置決め用横材５０とレベル架台４０を固着することで柱固定用部材１を仮固定し、この後にコンクリートを打設して固化した後に柱固定用部材１と吊込治具１０を分離して、その吊込治具１０、取付治具３０、レベル架台４０、位置決め用横材５０を取り外すことで柱固定用部材１を鋼管基礎杭２０内に設置する。【選択図】図１１
2006291550.tif 000002
【特許請求の範囲】
【請求項１】
柱固定用部材１と吊込治具１０を着脱自在に連結すると共に、この吊込治具１０に位置決め用横材５０を取付け、
鋼管基礎杭２０に取付治具３０を、その上端部を挟持して取付け、この取付治具３０にレベル架台４０を取付け、
前記吊込治具１０を吊り上げて柱固定用部材１を鋼管基礎杭２０内に挿入して前記位置決め用横材５０をレベル架台４０に載置し、
この状態で位置決めして位置決め用横材５０とレベル架台４０を仮固定し、
この後に、鋼管基礎杭２０内にコンクリートを打設して柱固定用部材１を鋼管基礎杭２０内に埋設し、
前記柱固定用部材１と吊込治具１０を分離し、その吊込治具１０とレベル架台４０と取付治具３０を取り外して鋼管基礎杭２０内に柱固定用部材１を設置することを特徴とする鋼管基礎杭の柱固定用部材設置方法。
【請求項２】
吊込治具１０に一対の位置決め用横材５０を、柱固定用部材１の埋込み深さに応じて高さ方向に位置決めして水平に取付け、
取付治具３０は、Ｘ方向、Ｙ方向に位置決めして４つ取付け、
２つの取付治具３０に亘って一対のレベル架台４０を、Ｙ方向に向けて高さ調整して所定の同一高さで、水平にそれぞれ取付け、
この一対のレベル架台４０に亘って前記吊込治具１０に取付けた一対の位置決め用横材５０を載置し、
前記レベル架台４０、位置決め用横材５０を基準として吊込治具１０をＸ方向、Ｙ方向に位置決めして柱固定用部材１を高さ方向、Ｘ方向、Ｙ方向に位置決めするようにした請求項１記載の鋼管基礎杭の柱固定用部材設置方法。
【請求項３】
鋼管基礎杭２０に、その中心を通りＸ方向に向かうＸ方向通り心と合致する目印ａを設け、この目印ａにパネル定規２１のＸ方向基準線２３を合わせてパネル定規２１をＹ方向に位置決めして鋼管基礎杭２０に設け、
このパネル定規２１の一対のＹ方向基準線２４に合わせて４つの取付治具３０を取付けるようにした請求項２記載の鋼管基礎杭の柱固定用部材設置方法。
【請求項４】
柱固定用部材１は、その上面に位置決め用突部２とねじ孔３を有し、この位置決め用突部２とねじ孔３がコンクリートよりも上方に突出するように埋設されるようにした請求項１記載の鋼管基礎杭の柱固定用部材設置方法。
【請求項５】
柱固定用部材１と、この柱固定用部材１に着脱自在に連結される吊込治具１０と、この吊込治具１０に取付けた位置決め用横材５０と、
鋼管基礎杭２０の上端部を挟持して取付けられる取付治具３０と、
この取付治具３０に取付けたレベル架台４０を備え、
前記位置決め用横材５０をレベル架台４０に載置して固定することで柱固定用部材１が鋼管基礎杭２０内に吊り下げて設けられるようにしたことを特徴とする鋼管基礎杭の柱固定用部材設置装置。
【請求項６】
Ｘ方向基準線２３とＹ方向基準線２４を有するパネル定規２１を設けた請求項５記載の鋼管基礎杭の柱固定用部材設置装置。
【請求項７】
柱固定用部材１は、その上面に位置決め用突部２とねじ孔３を有し、
吊込治具１０は、その下面に位置決め用孔１３とボルト挿通孔１４を有し、
前記位置決め用突部２と位置決め用孔１３が嵌合することでボルト挿通孔１４とねじ孔３が合致し、そのボルト挿通孔１４からボルト１５をねじ孔３に螺合して柱固定用部材１と吊込治具１０が連結されている請求項５記載の鋼管基礎杭の柱固定用部材設置装置。
【発明の詳細な説明】
【技術分野】
【０００１】
本発明は、土木建築構造物等に用いられる鋼管基礎杭内に柱固定用部材を設置する方法及び装置に関する。
【背景技術】
【０００２】
土木建築構造物の鋼管柱を鋼管基礎杭に、柱固定用部材を用いて取付けることが特許文献１に開示されている。
すなわち、鋼管基礎杭内にアンカーボルトを備えた柱固定用部材をコンクリートによって埋め込んで設置し、鋼管柱の脚部を鋼管基礎杭内に挿入して前述のアンカーボルトで固定し、その後に鋼管基礎杭内にコンクリートを打設して鋼管基礎杭と鋼管柱を接合して一本化することで取付けている。
【０００３】
【特許文献１】特開平５−８６６３０号公報
【発明の開示】
【発明が解決しようとする課題】
【０００４】
前述したように柱固定用部材を鋼管基礎杭内に設置するには、柱固定用部材を打設したコンクリートで動くことがないように鋼管基礎杭内に仮固定し、その後にコンクリートを打設している。
例えば、鋼管基礎杭の内周面に支持フレームを溶接して固着し、アンカーボルトを備えた柱固定用部材を支持フレームに載置して溶接して固着することで柱固定用部材を仮固定し、その後にコンクリートを打設している。
このように、従来の柱固定用部材設置方法は、溶接作業で仮固定しているから、柱固定用部材の設置作業が面倒である。
【０００５】
前述のようにして鋼管柱を取付ける場合には、その鋼管柱の取付け位置精度はアンカーボルトの設置位置精度によって決定されるので、アンカーボルトを備えた柱固定用部材を精度高く位置決めして設置する必要がある。
しかしながら、前述のように狭隘な鋼管基礎杭内で溶接によって柱固定用部材を仮固定しているので、その柱固定用部材を精度高く位置決めして仮固定することは大変困難であり、柱固定用部材を精度高く位置決めして設置することは事実上不可能であった。
【０００６】
本発明の目的は、柱固定用部材の設置作業が容易であると共に、柱固定用部材を精度高く位置決めして設置できるようにした鋼管基礎杭の柱固定用部材設置方法及び柱固定用部材設置装置を提供することである。
【課題を解決するための手段】
【０００７】
第１の発明は、柱固定用部材１と吊込治具１０を着脱自在に連結すると共に、この吊込治具１０に位置決め用横材５０を取付け、
鋼管基礎杭２０に取付治具３０を、その上端部を挟持して取付け、この取付治具３０にレベル架台４０を取付け、
前記吊込治具１０を吊り上げて柱固定用部材１を鋼管基礎杭２０内に挿入して前記位置決め用横材５０をレベル架台４０に載置し、
この状態で位置決めして位置決め用横材５０とレベル架台４０を仮固定し、
この後に、鋼管基礎杭２０内にコンクリートを打設して柱固定用部材１を鋼管基礎杭２０内に埋設し、
前記柱固定用部材１と吊込治具１０を分離し、その吊込治具１０とレベル架台４０と取付治具３０を取り外して鋼管基礎杭２０内に柱固定用部材１を設置することを特徴とする鋼管基礎杭の柱固定用部材設置方法である。
【０００８】
第２の発明は、第１の発明において、吊込治具１０に一対の位置決め用横材５０を、柱固定用部材１の埋込み深さに応じて高さ方向に位置決めして水平に取付け、
取付治具３０は、Ｘ方向、Ｙ方向に位置決めして４つ取付け、
２つの取付治具３０に亘って一対のレベル架台４０を、Ｙ方向に向けて高さ調整して所定の同一高さで、水平にそれぞれ取付け、
この一対のレベル架台４０に亘って前記吊込治具１０に取付けた一対の位置決め用横材５０を載置し、
前記レベル架台４０、位置決め用横材５０を基準として吊込治具１０をＸ方向、Ｙ方向に位置決めして柱固定用部材１を高さ方向、Ｘ方向、Ｙ方向に位置決めするようにした鋼管基礎杭の柱固定用部材設置方法である。
【０００９】
第３の発明は、第２の発明において、鋼管基礎杭２０に、その中心を通りＸ方向に向かうＸ方向通り心と合致する目印ａを設け、この目印ａにパネル定規２１のＸ方向基準線２３を合わせてパネル定規２１をＹ方向に位置決めして鋼管基礎杭２０に設け、
このパネル定規２１の一対のＹ方向基準線２４に合わせて４つの取付治具３０を取付けるようにした鋼管基礎杭の柱固定用部材設置方法である。
【００１０】
第４の発明は、第１の発明において、柱固定用部材１は、その上面に位置決め用突部２とねじ孔３を有し、この位置決め用突部２とねじ孔３がコンクリートよりも上方に突出するように埋設されるようにした鋼管基礎杭の柱固定用部材設置方法である。
【００１１】
第５の発明は、柱固定用部材１と、この柱固定用部材１に着脱自在に連結される吊込治具１０と、この吊込治具１０に取付けた位置決め用横材５０と、
鋼管基礎杭２０の上端部を挟持して取付けられる取付治具３０と、
この取付治具３０に取付けたレベル架台４０を備え、
前記位置決め用横材５０をレベル架台４０に載置して固定することで柱固定用部材１が鋼管基礎杭２０内に吊り下げて設けられるようにしたことを特徴とする鋼管基礎杭の柱固定用部材設置装置である。
【００１２】
第６の発明は、第５の発明において、Ｘ方向基準線２３とＹ方向基準線２４を有するパネル定規２１を設けた鋼管基礎杭の柱固定用部材設置装置である。
【００１３】
第７の発明は、第５の発明において、柱固定用部材１は、その上面に位置決め用突部２とねじ孔３を有し、
吊込治具１０は、その下面に位置決め用孔１３とボルト挿通孔１４を有し、
前記位置決め用突部２と位置決め用孔１３が嵌合することでボルト挿通孔１４とねじ孔３が合致し、そのボルト挿通孔１４からボルト１５をねじ孔３に螺合して柱固定用部材１と吊込治具１０が連結されている鋼管基礎杭の柱固定用部材設置装置である。
【発明の効果】
【００１４】
請求項１に係る発明によれば、取付治具３０を鋼管基礎杭２０に簡単に取付け、取り外しできるし、柱固定用部材１に吊込治具１０を取付け、その吊込治具１０で吊り上げ、吊り下げて柱固定用部材１を鋼管基礎杭２０内に挿入し、その鋼管基礎杭２０よりも上方において吊込治具１０をレベル架台４０、位置決め用横材５０によってＸ方向、Ｙ方向に位置決めできる。
よって、柱固定用部材１の設置作業が容易であると共に、柱固定用部材１を精度高く位置決めして設置できる。
【００１５】
請求項２に係る発明によれば、一対のレベル架台４０、一対の位置決め用横材５０を基準として柱固定用部材１をＸ方向、Ｙ方向に位置決めできるし、一対のレベル架台４０上に一対の位置決め用横材５０を載置することで柱固定用部材１を埋込み深さに応じて高さ方向に位置決めできる。
【００１６】
請求項３に係る発明によれば、パネル定規２１を用いて取付治具３０をＸ方向、Ｙ方向に位置決めして取付けできる。
【００１７】
請求項４に係る発明によれば、位置決め用突部２とねじ孔３を利用して柱固定用部材１と吊込治具１０を位置決めして連結できる。
また、打設したコンクリート６０で位置決め用突部２とねじ孔３が埋まることがなく、柱固定用部材１から吊込治具１０を容易に分離できると共に、その位置決め用突部２、ねじ孔３を利用して柱を位置決めして連結することもできる。
【００１８】
請求項５に係る発明によれば、取付治具３０を簡単に鋼管基礎杭２０に取付けできるし、その取付治具３０にレベル架台４０を高さ調整して取付けできる。
そして、柱固定用部材１を吊込治具１０を介して吊り上げることで鋼管基礎杭２０内に挿入し、そのレベル架台４０に、吊込治具１０に取付けた位置決め用横材５０を載置して位置決めし、その位置決め用横材５０をレベル架台４０に固着することによって、柱固定用部材１を位置決めして仮固定できる。
よって、柱固定用部材１の設置作業が容易であると共に、柱固定用部材１を精度高く位置決めして設置できる。
【００１９】
請求項６に係る発明によれば、パネル定規２１を用いて取付治具３０を位置決めできる。
【００２０】
請求項７に係る発明によれば、柱固定用部材１と吊込治具１０を位置決めして連結できる。
【発明を実施するための最良の形態】
【００２１】
図１に示すように、柱固定用部材１は吊込治具１０に着脱自在に取付けてあり、その吊込治具１０をクレーン等で吊り下げることで柱固定用部材１を鋼管基礎杭２０内に吊り降ろして後述するように設置される。
前記柱固定用部材１は、複数の位置決め用突部２と複数のねじ孔３を有し、その位置決め用突部２は上面１ａよりも上方に突出し、ねじ孔３は上面１ａに開口している。
この実施の形態の柱固定用部材１は上面板４と下面板５と連結縦板６で断面Ｈ型の本体７と（例えば、Ｈ型鋼）と、その上面板４と下面板５に亘って固着した補強縦板８を備えている。
前記上面板４の穴２ａにピン２ｂを嵌合して固着して前述の位置決め用突部２としてある。
前記上面板４の穴３ａの周縁下面にナット３ｂを固着して前述のねじ孔３としてある。
【００２２】
前記吊込治具１０は縦材１１の下端面に下面板１２を固着したもので、その下面板１２に位置決め用孔１３とボルト挿通孔１４が形成してある。
この位置決め用孔１３を位置決め用突部２に嵌合することでボルト挿通孔１４とねじ孔３が合致し、図２に示すように、ボルト１５をボルト挿通孔１４からねじ孔３に螺合することで下面板１２が上面板４に接して固着され、柱固定用部材１の上面１ａに吊込治具１０が取付けられる。
前記縦材１１は一側縦板１１ａと他側縦板１１ｂと連結縦板１１ｃで断面Ｈ型（例えばＨ型鋼）で、その一側縦板１１ａ、他側縦板１１ｂのボルト挿通孔１４と対向した部分には切欠部１６、例えば下切欠部１６ａ、中間切欠部１６ｂ、上切欠部１６ｃが形成され、前述のボルト１５を工具を用いて締め付け、弛める時に工具が干渉しないようにしてある。
【００２３】
前記一側縦板１１ａと他側縦板１１ｂとに亘ってボルト１７が貫通し、そのボルト１７に螺合したナット１８を一側縦板１１ａ、他側縦板１１ｂの両面にそれぞれ押しつけて一側縦板１１ａと他側縦板１１ｂ間の幅Ｈを調整できるようにしてある。
このようであるから、一側縦板１１ａと他側縦板１１ｂとの連結縦板１１ｃを境とした両側部の幅Ｈが異なる場合に、その幅Ｈを同一とすることができる。
【００２４】
前述の柱固定用部材１を鋼管基礎杭２０内に位置決めして仮固定する位置決め治具について説明する。
図３と図４に示すように、鋼管基礎杭２０の上端面２０ａに載置されるパネル定規２１と、その鋼管基礎杭２０の上端部（頭部）に取付けられる取付治具３０と、この取付治具３０に取付けられるレベル架台４０と、図２に示すように吊込治具１０に取付けられ、前記レベル架台４０に載置して取付けられる位置決め用横材５０で位置決め治具を構成している。
好ましくは、鋼管基礎杭２０のＸ方向両側にＹ方向に離隔してそれぞれ取付けた４つの取付治具３０と、Ｘ方向両側に取付けた一対の取付治具３０に亘ってそれぞれ取付けたＹ方向に向かう一対のレベル架台４０と、この一対のレベル架台４０のＹ方向両側寄りに亘ってそれぞれ取付けたＸ方向に向かう一対の位置決め用横材５０を備えている。
【００２５】
前記パネル定規２１は、主として取付治具３０を位置決めするものであって、鋼管基礎杭２０の直径より若干長い板状で、そのＸ方向の両端部分に切欠部２２が形成され、この切欠部２２によって鋼管基礎杭２０の上端面２０ａが見えるようにしてある。
このパネル定規２１の上面には、この切欠部２２を基準としてＸ方向基準線２３が設けてあり、このＸ方向基準線２３と直角にＸ方向一対のＹ方向基準線２４が設けてある。
【００２６】
前記取付治具３０は、鋼管基礎杭２０の上端部（頭部）を挟持して取付けできる取付部３１と、この取付部３１に設けた取付用ボルト３２と、この取付用ボルト３２に螺合した下ナット３３、上ナット３４を備えている。
前記取付部３１は、コ字状の取付材３５と、その取付材３５の一方の縦片３５ａに螺合した押え用ボルト３６を備え、その取付材３５の横片３５ｃの下面を鋼管基礎杭２０の上端面２０ａに当接し、他方の縦片３５ｂと押え用ボルト３６で鋼管基礎杭２０の上端部を挟持して取付けられる。
このようであるから、溶接などせずに押え用ボルト３６を締め付け、弛めることで取付治具３０を取付け、取り外しでき、その取付治具３０を容易に取付け、取り外しできる。
前記取付用ボルト３２は横片３５ｃの上面に上向きに固着され、取付用ボルト３２は鋼管基礎杭２０よりも上方に突出する。
【００２７】
前記一対のレベル架台４０には、その長手方向両端寄りにボルト挿通部、例えば長手方向の長孔４１がそれぞれ形成してある。
この長孔４１に取付用ボルト３２が挿通し、レベル架台４０の下面が下ナット３３に当接し、上ナット３４をレベル架台４０の上面に押しつけてレベル架台４０を取付用ボルト３２に固定する。このレベル架台４０は鋼管基礎杭２０よりも上方に位置する。
このようであるから、下ナット３３の位置を調整することでレベル架台４０の取付け高さを調整して高さ方向に位置決めできる。この操作は鋼管基礎杭２０よりも上方で行うので、その操作が容易で高精度に高さ方向に位置決めできる。
前記一対のレベル架台４０には当て具４２が、そのレベル架台４０の長手方向（Ｙ方向）に位置調整自在に取付けられる。
例えば、当て具４２に長孔４３を形成し、レベル架台４０の孔４４と長孔４３にボルト４５を挿通し、そのボルト４５にナット４６を螺合して取付ける。
【００２８】
前記位置決め用横材５０は、図２に示すように吊込治具１０の一側縦板１１ａと他側縦板１１ｂに高さ方向に位置決めして相互に平行で、かつ水平に取付けられる。そしてレベル架台４０に載置してＹ方向に位置決めして固着される。例えば、位置決め用横材５０は横片５０ａと縦片５０ｂで鉤形の断面形状で、その横片５０ａに第１孔５１、縦片５０ｂに第２孔５２が形成してある。第２孔５２からボルト５５を一側縦板１１ａ、他側縦板１１ｂの孔１９を挿通してナット５６を螺合して取付ける。
前記第１孔５１と前記レベル架台４０の孔４１に亘ってボルト５３を挿通し、ナット５４を螺合してレベル架台４０に位置決め用横材５０を取付ける。
この位置決め用横材５０は鋼管基礎杭２０よりも上方に位置し、前述の位置決め、固着作業がやり易い。
なお、図３と図４では位置決め用横材５０が図示され、吊込治具１０は図示していないが、実際には後述するように吊込治具１０に取付けた位置決め用横材５０がレベル架台４０に載置される。
【００２９】
次に、柱固定用部材１を鋼管基礎杭２０内に設置する作業を説明する。
まず、前記吊込治具１０に位置決め用横材５０を取付ける作業を説明する。
図５に示すように、定盤６０を水平とする。
例えば、前記定盤６０は四隅に高さ調整ボルト６１がそれぞれ螺合してあり、この高さ調整ボルト６１によって定盤６０の四隅の高さを調整して第１水準器６２でＸ方向の水平、第２水準器６３でＹ方向の水平を確認して水平とする。
図６に示すように、前記定盤６０の上に吊込治具１０の下面板１２を載置して吊込治具１０を起立して置く。
これによって下面板１２が水平となる。
前述した吊込治具１０の一側縦板１１ａと他側縦板１１ｂとの連結縦板１１ｃを境とした両側部の幅寸法Ｈ１，Ｈ２を測定し、その幅寸法Ｈ１，Ｈ２が異なる場合には前述のようにボルト１７に螺合したナット１８を締め付け、弛めして幅寸法Ｈ１，Ｈ２を同一とし、一対の位置決め用横材５０を平行に取付けできるようにする。
つまり、吊込治具１０がＨ型鋼などの場合には、そのＨ型鋼のひずみによって前述の幅寸法Ｈ１，Ｈ２が異なることがあり、その場合には一対の位置決め用横材５０が平行とならないので、後述する位置決めに誤差が生じることがあるので、前述のようにして幅寸法Ｈ１，Ｈ２を同一とする。
この定盤６０の上面（つまり、水平面）を基準として、柱固定用部材１の埋込み深さに応じて吊込治具１０の位置決め用横材５０の取付け高さ位置を決め、前述のようにして位置決め用横材５０を所定の高さ位置に水平で平行に固着して取付ける。
なお、柱固定用部材１の埋込み深さは種々異なるので、前述の縦剤１１の一側縦板１１ａ、他側縦板１１ｂに複数の孔１９を高さ方向に位置をずらして形成する。
前述の位置決め用横材５０の取付け高さ位置の調整は、例えば図６に示すように各位置決め用横材５０の長手方向両端部の下面と定盤６０の上面との間の距離Ｓ１，Ｓ２を測定し、その各距離Ｓ１，Ｓ２が所定の値となるように調整する。
また、前述の一対の位置決め用横材５０が平行であるかは、図６に示すように一対の位置決め用横材５０の長手方向一端部間の寸法Ｌ１と他端部間の寸法Ｌ２を測定し、寸法Ｌ１と寸法Ｌ２が同一であるかで確認する。
【００３０】
この後に、吊込治具１０と柱固定用部材１を図２に示すように連結する。
【００３１】
次に、前述の位置決め治具の取付けについて説明する。
まず、鋼管基礎杭２０の上端部に、取付治具３０をパネル定規２１を用いて位置決めして取付ける。
例えば、図７（ａ），（ｂ）に示すように鋼管基礎杭２０の上端面２０ａにＸ方向の通り心Ｘと合致する目印ａを付す。
そして、図８（ａ），（ｂ）に示すように、鋼管基礎杭２０の上端面２０ａにパネル定規２１を載置し、そのＸ方向基準線２３を前記目印ａに合わせてパネル定規２１をＹ方向に位置決めする。
この後にパネル定規２１の一対のＹ方向基準線２４に合わせて取付治具３０を取付ける。これによって、取付治具３０はＸ方向、Ｙ方向に位置決めされる。
前述のＸ方向の通り心とは、鋼管基礎杭２０の中心を通りＸ方向に向かう中心線で、光波トランシットなどを用いて求め、目印ａを付す。なお、鋼管基礎杭２０がＸ方向に複数ある場合には、各鋼管基礎杭２０に亘ってＸ方向中心線を連続させる。
【００３２】
前記取付治具３０は、その取付用ボルト３２がＹ方向基準線２４に合致するように、パネル定規２１よりも両側方にそれぞれ取付ける。
なお、パネル定規２１のＸ方向基準線２３は一対の切欠部２２を通るようにしてあるので、その一対の切欠部２２を目印ａに合致することでパネル定規２１を位置決めでき、Ｘ方向基準線２３をパネル定規２１の表面に連続して付すことなしに一対の切欠部２２の切欠面２２ａによってＸ方向基準線２３とすることもできる。
また、一対のＹ方向基準線２４は、パネル定規２１を位置決めして載置した後に、付すようにしても良い。
【００３３】
前述のようにして取付治具３０を取付け完了したら、図９（ａ），（ｂ）に示すように、その取付治具３０に一対のレベル架台４０を所定の同一高さで、水平姿勢としてそれぞれ取付ける。
例えば、Ｘ方向両側においてＹ方向に隣接した２つの取付治具３０の取付用ボルト３２にレベル架台４０の長孔４１をそれぞれ挿通して下ナット３３に接し、その下ナット３３を締め付け、弛めて上下に移動することでレベル架台４０の高さを調整して所定の同一高さで水平とし、上ナット３４を螺合して固定する。
これによって、一対のレベル架台４０はＸ方向に位置決めされる。
【００３４】
前述のレベル架台４０の長孔４１に取付用ボルト３２が挿通するからレベル架台４０の長手方向に異なる位置に取付用ボルト３２を挿通できると共に、取付治具３０は鋼管基礎杭２０の上端部を挟持して取付けられるから、その取付治具３０は鋼管基礎杭２０の任意の位置に取付けできる。
よって、レベル架台４０の取付位置を任意に変更できるし、大きさの異なる鋼管基礎杭２０にレベル架台４０を取付け可能である。
【００３５】
前述のようにして一対のレベル架台４０を取付け完了したら、当て具４２をＹ方向に位置決めして取付ける。
例えば、図９（ａ），（ｂ）のように、一対のレベル架台４０上に跨ってマグネット付定規（水平器）４７を置き、この定規４７の外側面４７ａの前後をトランシットで見て通りＸ２を出す。つまり、前述の目印ａを通るＸ方向通り心Ｘと所定の距離だけ離隔したＸ方向の通りＸ２と定規４７の外側面４７ａを一致させ、その定規４７の内側面４７ｂがＸ方向の通りＸ１と一致させる。
この定規４７の内側面４７ｂに当て具４２を当てて位置決めし、ボルト・ナット４５，４６で固定する。この後に定規４７を外す。
【００３６】
前述のように柱固定用部材１を取付けした吊込治具１０をクレーン等で吊り下げ、その柱固定用部材１、吊込治具１０を鋼管基礎杭２０内に吊り降ろし、吊込治具１０の一対の位置決め用横材５０を一対のレベル架台４０上に置き、図１０（ａ），（ｂ）に示すように一方の位置決め用横材５０を当て具４２に接してＹ方向に位置決めする。
Ｘ方向の基準点から吊込治具１０までの距離をトランシットで測定し、所定の距離となるように吊込治具１０を、位置決め用横材５０を介してレベル架台４０に沿ってＸ方向に移動し、Ｘ方向に位置決めする。
つまり、吊込治具１０をＸ方向、Ｙ方向に位置決めすることで、柱固定用部材１を鋼管基礎杭２０内にＸ方向、Ｙ方向に位置決めして吊り下げる。
【００３７】
前述のように吊込治具１０を位置決めする際に、図１０（ａ），（ｂ）に仮想線で示すように吊込治具１０の縦材１１にパネル定規４８の角孔４９を挿通して設け、このパネル定規４８のＸ方向に向かう中心線ｂ、この中心線ｂとＹ方向に所定距離だけ離隔したＸ方向に向かう線ｃに基づいて吊込治具１０をＹ方向に再度位置決めする。この線ｃは前述の通りＸ２と合致し、角孔４９のＹ方向一方の内側面が前述の通りＸ１と合致する。
前記パネル定規４８のＸ方向に向かう中心線ｂと直角で、Ｙ方向に向かう中心線ｄと、この中心線ｄとＸ方向に所定距離だけ離隔したＹ方向に向かう線ｅを用いてＸ方向に位置決めする。
つまり、中心線ｄをＹ方向の通り芯Ｙと一致させ、このＹ方向の通り芯Ｙと所定距離だけ離れたＹ方向の通りＹ１と線ｅを一致させるようにトランシットを用いてＸ方向に位置決めする。この線ｅは角孔４９のＸ方向一方の内側面と合致する。
前記パネル定規４８には当て具４２と位置決め用横材５０を見るための切欠部４８ａが形成してある。
このパネル定規４８による位置決めは前述の位置決めの確認であるから、必ずしも実施しなくても良い。
【００３８】
前述のようにして位置決めすることで、柱固定用部材１は図１１に示すように鋼管基礎杭２０内に、所定の高さ位置でＸ，Ｙ方向に位置決めして吊り下げられる。
この状態で、一対の位置決め用横材５０を一対のレベル架台４０にそれぞれ固定する。
そして、鋼管基礎杭２０内にコンクリート６０を打設して図１１に示すように柱固定用部材１を所定深さで埋込みする。この時、柱固定用部材１を全部埋込みすると柱の固定がしづらいから、柱固定用部材１の上部、例えば上面から５０ｍｍまでの部分をコンクリート６０よりも上方に突出し、それよりも下方部分を埋込み、前述の位置決め用突部２、ねじ孔３がコンクリートよりも上方に突出するようにするようにする。。
【００３９】
コンクリート６０の養生期間が経過したら吊込治具１０と柱固定用部材１を分離し、その吊込治具１０、レベル架台４０、取付治具３０を取り外して鋼管基礎杭２０内に柱固定用部材１の設置が完了する。
前述の吊込治具１０と柱固定用部材１を分離するにはボルト１５を弛めることになるが、鋼管基礎杭２０内に人が入ってボルト１５を弛めるのは困難であるので、図１１に示すラチェットレンチ６１と長尺なボックス６２より成る工具を用いて鋼管基礎杭２０の上方からボルト１５を弛める。
この時、ラチェットレンチ６１、ボックス６２が吊込治具１０の縦材１１の一側縦板１１ａ、他側縦板１１ｂに干渉することがあるので、前述のように切欠部１６を形成して干渉しないようにしてある。
【００４０】
次に、柱を設置する作業を説明する。
図１２、図１３、図１４に示すように、柱７０は一側縦板７１と他側縦板７２と連結縦板７３で断面Ｈ型で、下端面にプレート７４が固着してある。
このプレート７４には位置決め孔７５と孔７６が形成してある。
柱７０を鋼管基礎杭２０内に入れて位置決め孔７５を位置決め用突部２に嵌合して位置決めし、ボルト７７を孔７６からねじ孔３に螺合して柱７０を柱固定用部材１に固着する。
この後に、鋼管基礎杭２０の上端部までコンクリートを打設して柱固定用部材１と柱７０の下端部を鋼管基礎杭２０内に埋設して設置する。
【００４１】
前述のようにして柱７０を設置する際に、柱７０を安定して支持するための支持部材を用いる。
この支持部材は第１支持部材８０と第２支持部材８１と第１受金具８２と第２受金具８３を備えている。
前記第１支持部材８０は斜めの縦面８０ａを有するほぼ台形状で、第２支持部材８１は斜めの縦面８１ａを有するほぼ三角形状である。
前記第１受金具８２と第２受け金具８３は上向きコ字状の受具８２ａ，８３ａの両側面に鉤片８２ｂ，８３ｂを固着したもので、その鉤片８２ｂ，８３ｂを鋼管基礎杭２０の上部周縁に係止して取付け、その受具８２ａ，８３ａに第１・第２支持部材８０，８１を嵌合して取付ける。
第１受金具８２の受具８２ａは第２受金具８３の受具８３ａよりも長尺である。
【００４２】
そして、第１支持部材８０の斜めの縦面８０ａと第２支持部材８１の縦面８１ａを接したものを柱７０の連結縦板７３の両側と鋼管基礎杭２０との間に設けて支持し、２つの第２支持部材８１の斜めの縦面８１ａを接したものを柱７０の一側縦板７１、他側縦板７２と鋼管基礎杭２０との間に設けて支持する。
このようにすることで、柱７０を起立した姿勢で安定して支持できる。
前述の第１・第２支持部材８０，８１は木製が好ましいが、樹脂製などでも良い。
【図面の簡単な説明】
【００４３】
【図１】柱固定用部材と吊込治具の分解斜視図である。
【図２】柱固定用部材と吊込治具を連結した状態の正面図である。
【図３】（ａ）レベル架台と位置決め用横材の取付け状態の平面図である。            （ｂ）レベル架台と位置決め用横材の取付け状態の正面図である。
【図４】パネル定規、取付治具、レベル架台、位置決め用横材の分解斜視図である。
【図５】定盤の斜視図である。
【図６】位置決め用横材の取付け説明図用の斜視図である。
【図７】（ａ）目印を付した鋼管基礎杭の平面図である。            （ｂ）目印を付した鋼管基礎杭の正面図である。
【図８】（ａ）パネル定規と取付治具を設けた状態の鋼管基礎杭の平面図である。            （ｂ）パネル定規と取付治具を設けた状態の鋼管基礎杭の正面図である。
【図９】（ａ）レベル架台と当て具を取付けた状態の鋼管基礎杭の平面図である。            （ｂ）レベル架台と当て具を取付けた状態の鋼管基礎杭の正面図である。
【図１０】（ａ）吊込治具を支持している状態の平面図である。            （ｂ）吊込治具を支持している状態の正面図である。
【図１１】コンクリートを打設した状態の縦断面図である。
【図１２】柱を設置する状態の平面図である。
【図１３】図１１のＡ−Ａ断面図である。
【図１４】図１１のＢ−Ｂ断面図である。
【符号の説明】
【００４４】
１…柱固定用部材、２…位置決め用突部、３…ねじ孔、１０…吊込治具、１５…ボルト、２０…鋼管基礎杭、２０ａ…上端面、２１…パネル定規、２２…切欠部、２３…Ｘ方向基準線、２４…Ｙ方向基準線、３０…取付治具、３１…取付部、３２…取付用ボルト、３３…下ナット、３４…上ナット、４０…レベル架台、４２…当て具、５０…位置決め用横材、６０…コンクリート、７０…柱、８０…第１支持部材、８１…第２支持部材。
【図１】
2006291550.tif 000003
【図２】
2006291550.tif 000004
【図３】
2006291550.tif 000005
【図４】
2006291550.tif 000006
【図５】
2006291550.tif 000007
【図６】
2006291550.tif 000008
【図７】
2006291550.tif 000009
【図８】
2006291550.tif 000010
【図９】
2006291550.tif 000011
【図１０】
2006291550.tif 000012
【図１１】
2006291550.tif 000013
【図１２】
2006291550.tif 000014
【図１３】
2006291550.tif 000015
【図１４】
2006291550.tif 000016